(57)【要約】      （修正有）【課題】掻き傷等の傷を身体に負わせることなく、背中等の手の届かない身体部位であっても自身で容易に掻くことのできるシート型身体掻き具を提供する。【解決手段】シート型身体掻き具１は、シート体２の表面側に、弾性を有する合成樹脂製で円錐状の複数の突起体３が前後左右に並ぶようにして配設され、当該シート体２の裏面側に、取付対象に対して着脱可能なゲル状の粘着層からなる取付部材４を設けて構成されている。【選択図】図１
0003185416.tif 000002
【実用新案登録請求の範囲】
【請求項１】
シート体の表面側に合成樹脂製の複数の突起体が配設され、当該シート体の裏面側に取付対象に対して着脱可能な取付部材を設けてなることを特徴とするシート型身体掻き具。
【請求項２】
前記取付部材が取付対象に対して着脱可能な粘着層であることを特徴とする請求項１に記載のシート型身体掻き具。
【請求項３】
前記取付部材が取付対象に対して着脱可能な吸盤であることを特徴とする請求項１に記載のシート型身体掻き具。
【請求項４】
前記シート体の裏面側と取付部材との間にシート状の緩衝材を設けてなることを特徴とする請求項１乃至３のいずれかに記載のシート型身体掻き具。
【考案の詳細な説明】
【技術分野】
【０００１】
本考案は、掻き傷等の傷を身体に負わせることなく、背中等の手の届かない身体部位であっても自身で容易に掻くことのできるシート型身体掻き具に関する。
【背景技術】
【０００２】
人は、痒み解消を目的として身体部位を掻く際には、手で爪を立てた状態で掻いたり、また、背中等の手が届かない身体部位である場合には、所謂孫の手を用いて掻いたり、或いは、他者に背中を掻いてもらったりするのが一般的である。
【０００３】
一方で、棒状の把手の先端に平面部分を有する平板を設け、当該平板の表面に複数の突起を設けたことにより、当該突起のいずれかが痒みのある身体部位に接触し、把手に大きな力を加える必要もなく痒みを解消することのできる背中掻き具が開示されている（特許文献１）。
【先行技術文献】
【特許文献】
【０００４】
【特許文献１】実開昭５６−７５９３５号公報
【考案の概要】
【考案が解決しようとする課題】
【０００５】
しかしながら、従来のように、痒みのある身体部位を手で爪を立てた状態で掻くような場合には、身体の表面を傷つけてしまい、痒みは解消されるものの、その後に掻き傷による痛みが発生し、当該掻き傷の痕が残るといった場合もあるため良くない。また、所謂孫の手を用いる場合であっても、上手く痒みのある部位に当該孫の手の先端を当てるのは、特に高齢者等のように関節が硬くなっていた場合は困難であり、腕力及び握力が低下した状態等では適度な力加減で掻くこともできないという問題があった。さらに、他人に掻いてもらう際には、痒みのある箇所を態々説明しなければならず、適度な力加減で掻いてもらえるとも限らないという問題があった。
【０００６】
一方、前記特許文献１に記載の技術でも、前記孫の手を用いる場合と同様に、上手く痒みのある部位に当てるのは困難であり、腕力及び握力が低下した状態では適度な力加減で掻くこともできないという問題があった。
【０００７】
そこで、掻き傷等の傷を身体に負わせることなく、背中等の手の届かない身体部位であっても自身で容易に掻くことのできるシート型身体掻き具を提供する。
【課題を解決するための手段】
【０００８】
上記課題を解決するために、本考案は次のように構成した。すなわち、本考案に係る請求項１に記載のシート型身体掻き具は、シート体の表面側に合成樹脂製の複数の突起体が配設され、当該シート体の裏面側に取付対象に対して着脱可能な取付部材を設けてなることを特徴としている。
【０００９】
また、請求項２に記載のシート型身体掻き具は、前記取付部材が取付対象に対して着脱可能な粘着層であることを特徴としている。
【００１０】
また、請求項３に記載のシート型身体掻き具は、前記取付部材が取付対象に対して着脱可能な吸盤であることを特徴としている。
【００１１】
さらに、請求項４に記載のシート型身体掻き具は、前記シート体の裏面側と取付部材との間にシート状の緩衝材を設けてなることを特徴としている。
【考案の効果】
【００１２】
本考案に係る請求項１に記載のシート型身体掻き具によれば、壁面等の取付対象に取付けた前記シート型身体掻き具の表面側の突起体に、図３に示す使用状態のように、痒みのある身体部位を自ら突起体に接触させて上下左右等に動かすことにより、背中等の身体部位を掻くことができる。
【００１３】
この際、当該突起体の先端は、使用者の衣服上に接触するために使用者に過度な刺激を与えることはなく、また、当該接触によって衣服の動きが固定され、当該衣服と前記動かしている身体部位の表面との摩擦により痒みのある身体部位を掻くことができる。したがって、当該シート型身体掻き具によれば、掻き傷等の身体に傷を負わせることなく適度な力加減で、背中の手の届かない箇所等を自身で容易に掻くことができる。
【００１４】
また、本考案に係る請求項２に記載のシート型身体掻き具によれば、前記請求項１に記載のシート型身体掻き具による効果のほか、前記取付部材を粘着層で構成したことにより、取付対象への着脱が容易であり、且つ、取付対象から取り外した後でも反復して使用することができる。
【００１５】
また、本考案に係る請求項３に記載のシート型身体掻き具によれば、前記取付部材を吸盤で構成したことにより、前記効果のほか、風呂場等の水場であっても使用することができる。
【００１６】
さらに、本考案に係る請求項４に記載のシート型身体掻き具によれば、使用者がシート体の突起体に身体部位を接触させて上下左右等に動かす際のクッションとなり、使用者の身体への負担を軽減することができるとともに、凹凸のある身体部位の表面に突起体を適切に接触させることができる。
【図面の簡単な説明】
【００１７】
【図１】本考案に係るシート型身体掻き具を示す斜視図である。
【図２】当該シート型身体掻き具を取付けた状態を示す図である。
【図３】当該シート型身体掻き具の使用状態を示す図である。
【図４】当該使用状態を示す拡大図である。
【図５】本考案の他の実施例を示す図である。
【図６】本考案の他の実施例を示す図である。
【図７】本考案の他の実施例を示す図である。
【考案を実施するための形態】
【００１８】
以下、図１乃至図７を用いて、本考案を具体的に説明する。まず、図１は、本考案に係るシート型身体掻き具１の構造を示す斜視図である。当該シート型身体掻き具１は、シート体２と、当該シート体２の表面側に縦横に並べるようにして配設された複数の突起体３と、前記シート体２の裏面側に設けられた取付部材４によって構成されている。
【００１９】
前記シート体２は、合成樹脂製でシート状に形成されている。本実施例において、当該シート体２は、縦３０ｍｍ、横３０ｍｍの平面四角形で形成されているが、当該形状又は寸法に限られるものではなく、使用目的又は使用方法により任意の形状又は寸法で形成することができる。例えば、背中を掻く際には、人の背中のサイズに適合させた比較的大きいサイズのシート体２に形成してもよく、逆に、足裏を掻く際には、当該足裏のサイズに適合させた比較的小さなサイズで、足裏の形状に適合させた靴の中敷状に形成してもよい。なお、当該シート体２は、本実施例における合成樹脂製に限られず、その他天然ゴム製等の素材で形成してもよい。
【００２０】
また、前記突起体３も、合成樹脂製又は天然ゴム製で前記シート体２の表面側から突出して形成されている。本実施例において、突起体３は、７．０ｍｍの高さの円錐形でシート体２の表面側から鉛直に突出して複数形成され、約１０．０ｍｍの間隔で前後左右に並設されている。当該突起体３は、シート型身体掻き具１の使用者との接触時に使用者の動きに合わせて湾曲するように弾力性を有するものである。なお、当該突起体３の形状又は寸法は、本実施例で示したものに限られるものではなく、その他多角錐、円柱又は多角柱等、使用目的又は使用方法に適合するように変更することも可能である。
【００２１】
また、前記取付部材４は、ウレタンゲル、シリコンゲル等からなるゲル状のリタック粘着層で形成され、前記シート体２の裏面側の一部又は全面に取付対象に対して着脱可能に設けられている。これにより、取付対象への着脱が容易となり、且つ、取付対象から取り外した後でも反復して使用することができる。なお、当該シート型身体掻き具１の使用前においては、当該ゲル状の粘着層の露出面に剥離シート等を被覆しておき、乾燥や汚れ等から保護してもよい。
【００２２】
ここで、シート体２の裏面側に取付部材４を設けるとは、シート体２と取付部材４の間にウレタンシート、スポンジシート等の緩衝材を任意に設けてシート型身体掻き具１にクッション性を与えてもよく、シート体２の裏面側に取付部材４が設けてあればよいという意味である。なお、当該取付部材４は、ゲル状の粘着層以外であっても、リタック粘着可能な層で着脱することができるものであればどのようなものであってもよい。
【００２３】
図２は、当該シート型身体掻き具１を壁面等の取付対象５に取付けた状態を示す図である。図示のように、シート体２の裏面側に設けられたゲル状の粘着層からなる取付部材４によってシート型身体掻き具１を壁面等の取付対象５に取付けることができ、一方、シート体２の表面側に突出して設けられた複数の突起体３は、壁面等の取付対象５の表面に対して鉛直に突出した状態となる。
【００２４】
なお、上記の通り、シート体２の裏面側と粘着層からなる取付部材４との間に、図示はしないが、緩衝材としてウレタンシート、スポンジシート等を設けてもよい。これにより、使用者がシート体２の突起体３に身体部位を接触させて擦る際のクッションとなり、使用者の身体への負担を軽減することができるとともに、凹凸のある身体部位の表面に突起体を適切に接触させることができる。
【００２５】
図３は、当該シート型身体掻き具１の使用状態を示す図である。図中の矢印に示すように、身体を上下又はその他の方向に動かすことにより、突起体３が当該身体の動きに従って上下又はその他の方向に湾曲しながら、痒みのある身体部位を他人の手を借りずに自身で容易に掻くことができる。このとき、突起体３がどのように作用し、痒みのある身体部位を掻くことができるかについては、以下の図４を用いて詳細に説明する。
【００２６】
図４は、前記図３で示した使用状態の拡大図である。使用者が身体表面７を突起体３方向へと移動させ、着用しているシャツ等の着用物６を突起体３の先端部に接触させる。その後、使用者が身体表面７を上下に移動させると、突起体３の先端部が着用物６の上下運動を突起体３の湾曲可能な範囲で固定した状態で、身体表面７のみが上下に移動する。この際、当該着用物６の内側と身体表面７が擦れ合うこと摩擦が生じ、当該摩擦によって身体表面７を自身で掻くことができる。また、使用者はシャツ等の着用物６を着用した状態で使用するため、突起体３の先端が直接身体表面７に当接しないため、掻き傷等の傷を負うことなく、痒みのある身体部位を適度に掻くことができる。なお、身体を上下以外のその他方向に動かす際も同様である。
【００２７】
以下に、その他の実施例について説明する。
【００２８】
図５は、他の実施例を示す図である。当該実施例は、前記実施例とは異なり、取付部材４が吸盤で構成されている。当該吸盤からなる取付部材４をシート体２の裏面側に設けることにより、シート型身体掻き具１を壁面等の取付対象５に取り付けることができる。このように、当該取付部材４を吸盤とすることによっても、取付対象５たる壁面等に容易に取付ることができ、着脱可能で、吸盤が劣化するまで長期間使用することができる。
【００２９】
図６は、他の実施例を示す図である。当該実施例では、取付部材４がホック釦で構成されている。当該ホック釦の雄釦をシート体２の裏面側に設け、且つ、当該雌釦を壁面等の取付対象５に設けることにより、シート型身体掻き具１を取付対象５に容易に取付けることができ、着脱可能である。
【００３０】
図７は、他の実施例を示す図である。当該実施例では、取付部材４が磁石で構成されている。このように取付部材４を磁石で構成することにより、冷蔵庫の表面等の磁着可能面であれば、シート体２を取付対象５に容易に取付けることができ、着脱可能である。
【００３１】
その他実施例として、図示はしないが、取付部材４は、面ファスナー又は両面テープ等で構成してもよく、前記シート体２を壁面等の取付対象５に対して容易に着脱することができればどのような構成であってもよい。
【００３２】
また、図示はしないが、複数の突起体３を設けたシート体２を掌で把持可能なサイズに形成し、当該シート体２の裏面側に掌で把持しやすいようにウレタンやスポンジ等の緩衝材、或いは、合成樹脂、木や金属等で掌で把持しやすい形状に形成したものを設けることにより、使用者は自身の手にシート型身体掻き具を把持して身体の部位を掻くことができる。
【産業上の利用可能性】
【００３３】
前記実施例によれば、本考案に係るシート型身体掻き具１は、身体の手の届かない部位等で痒みのある身体部位を掻くことに利用したが、前記シート体２の表面側に突出させた複数の突起体３を身体表面上に擦ることにより、血行促進等を目的としたマッサージを行うことも可能である。
【符号の説明】
【００３４】
１  シート型身体掻き具
２  シート体
３  突起体
４  取付部材
５  取付対象
６  着用物
７  身体表面
【図１】
0003185416.tif 000003
【図２】
0003185416.tif 000004
【図３】
0003185416.tif 000005
【図４】
0003185416.tif 000006
【図５】
0003185416.tif 000007
【図６】
0003185416.tif 000008
【図７】
0003185416.tif 000009